(57)【特許請求の範囲】
【請求項１】
処理装置本体の処理を制御する制御手段と、
前記処理装置本体の予め定めた高さ位置に取り付けられ、前記処理装置本体の周辺を移動する移動体を検出可能であり、当該検出可能な範囲が前記高さ位置よりも上向き及び下向きに分離して存在する第１の移動体検出手段と、
前記制御手段への電力供給が遮断された状態で、前記第１の移動体検出手段で移動体を検出した時点で検出が開始され、前記第１の移動体検出手段よりも検出可能距離が相対的に短い第２の移動体検出手段と、
前記第２の移動体検出手段で移動体を検出した時点で、少なくとも前記制御手段を含む電力供給対象に電力を供給する段階的電力供給手段とを有し、
前記第１の移動体検出手段が、検出面に複数の検出素子を備え、当該検出面の法線が高さ位置で水平とされ、検出範囲が前記検出面から拡散しており、
前記検出面の高さ方向中央部を遮蔽部材によって遮蔽することで、単一の第１の移動体検出手段によって、下向きの検出範囲である下側領域と、上向きの検出範囲である上側領域を設けた電力供給制御装置。
【請求項２】
前記第１の移動体検出手段が、前記下向きの検出範囲である下側領域を監視する下側領域用第１の移動体検出手段と、前記上向きの検出範囲である上側領域を監視する上側領域用第１の移動体検出手段と、を備える請求項１記載の電力供給制御装置。
【請求項３】
前記下側領域で前記移動体を検出することが可能な検出可能距離Ｂを（１）式で求め、
前記上側領域で前記移動体を検出することが可能な検出可能距離Ａを（２）式で求め、
前記検出可能距離Ａと前記検出可能距離Ｂとが、予め定めた許容範囲内で同等の距離となるように、前記下向き光軸角度λを基準として、（３）〜（５）式の変形により、上向き光軸角度θを求める請求項２記載の電力供給制御装置。
Ｂ＝Ｃ×tanλ・・・・・・・・・・・・・・（１）
Ａ＝（Ｈ−Ｃ）×tanθ・・・・・・・・・・（２）
Ｃ×tanλ＝（Ｈ−Ｃ）×tanθ・・・・・・・（３）
tanθ＝（Ｃ×tanλ）／（Ｈ−Ｃ）・・・・・（４）
θ＝tan−１{（Ｃ×tanλ）／（Ｈ−Ｃ）}・・・（５）
但し、
Ｈ→前記移動体における前記上側領域での検出対象の高さ
Ｃ→前記第１の移動体検出手段の取り付け高さ
Ａ→前記上側領域における検出可能距離
θ→前記第１の移動体検出手段の取り付け位置における真上から傾斜角度である上向き光軸角度
Ｂ→前記下側領域における検出可能距離
λ→前記第１の移動体検出手段の取り付け位置における真下から傾斜角度である下向き光軸角度
である。
【請求項４】
前記請求項１〜請求項３の何れか１項記載の電力供給制御装置を備え、前記処理装置本体が、原稿画像から画像を読み取る画像読取処理部、画像情報に基づいて記録用紙に画像を形成する画像形成処理部、予め相互に定められた通信手順の下で画像を送受信するファクシミリ通信処理部、の少なくとも１つの処理部を含み、
前記制御手段により、前記処理部が個別に電力供給状態並びに電力遮断状態に遷移するように制御され、処理部別に節電する部分節電手段を有する画像処理装置。
【発明の詳細な説明】
【技術分野】
【０００１】
本発明は、電力供給制御装置、画像処理装置に関する。
【背景技術】
【０００２】
特許文献１には、ホストコンピュータより一定時間以上印刷指示がなかった場合に低電力状態に移行する省エネルギーモードを有する画像形成装置において、省エネルギーモード時においても通電がなされている回路部にて駆動される照度センサを有し、前記照度センサは、光を検知する受光量検知手段を有し、省エネルギーモードではない状態で、受光量検知手段により検知した受光量が一定量以下であって、該状態が一定時間以上持続した場合は、省エネルギーモード状態に移行する第１の制御手段と、省エネルギーモード状態で、受光量検知手段により検知した受光量が一定量以上である場合は、省エネルギーモード状態か通常の待機状態に移行する第２の制御手段を有する画像形成装置が開示されている。
【０００３】
特許文献２には、人体検知センサを備えた機器を使用する人が機器の前方にいる場合であって、一定時間が経過しないと操作できないという不具合を解決するべく、人体検知センサにより機器の正面に人がいない状態からいる状態に変化したことを検知した信号が出力されたときに、操作部コントローラのみを省エネモードから通常モードへ復帰せしめ、さらに機器の正面に人がいる状態が一定時間継続したときに、エンジンコントローラをも通常モードへ復帰するように制御することが開示されている。
【先行技術文献】
【特許文献】
【０００４】
【特許文献１】特開２００４−１７５００９号公報
【特許文献２】特開平０９−１６６９４３号公報
【発明の概要】
【発明が解決しようとする課題】
【０００５】
本発明は、装置に接近して処理を指示する使用者を含む移動体を、主として温度変化に基づく誤検出を防止することができる電力供給制御装置、画像処理装置を得ることが目的である。
【課題を解決するための手段】
【０００７】
請求項１に記載の発明は、処理装置本体の処理を制御する制御手段と、前記処理装置本体の予め定めた高さ位置に取り付けられ、前記処理装置本体の周辺を移動する移動体を検出可能であり、当該検出可能な範囲が前記高さ位置よりも上向き及び下向きに分離して存在する第１の移動体検出手段と、前記制御手段への電力供給が遮断された状態で、前記第１の移動体検出手段で移動体を検出した時点で検出が開始され、前記第１の移動体検出手段よりも検出可能距離が相対的に短い第２の移動体検出手段と、前記第２の移動体検出手段で移動体を検出した時点で、少なくとも前記制御手段を含む電力供給対象に電力を供給する段階的電力供給手段とを有し、前記第１の移動体検出手段が、検出面に複数の検出素子を備え、当該検出面の法線が高さ位置で水平とされ、検出範囲が前記検出面から拡散しており、前記検出面の高さ方向中央部を遮蔽部材によって遮蔽することで、単一の第１の移動体検出手段によって、下向きの検出範囲である下側領域と、上向きの検出範囲である上側領域を設けた電力供給制御装置。
【０００９】
請求項２に記載の発明は、前記請求項１に記載の発明において、前記第１の移動体検出手段が、前記下向きの検出範囲である下側領域を監視する下側領域用第１の移動体検出手段と、前記上向きの検出範囲である上側領域を監視する上側領域用第１の移動体検出手段と、を備える。
【００１０】
請求項３に記載の発明は、前記請求項２記載の発明において、前記下側領域で前記移動体を検出することが可能な検出可能距離Ｂを（１）式で求め、前記上側領域で前記移動体を検出することが可能な検出可能距離Ａを（２）式で求め、前記検出可能距離Ａと前記検出可能距離Ｂとが、予め定めた許容範囲内で同等の距離となるように、前記下向き光軸角度λを基準として、（３）〜（５）式の変形により、上向き光軸角度θを求める。
【００１１】
Ｂ＝Ｃ×tanλ・・・・・・・・・・・・・・（１）
Ａ＝（Ｈ−Ｃ）×tanθ・・・・・・・・・・（２）
Ｃ×tanλ＝（Ｈ−Ｃ）×tanθ・・・・・・・（３）
tanθ＝（Ｃ×tanλ）／（Ｈ−Ｃ）・・・・・（４）
θ＝tan−１{（Ｃ×tanλ）／（Ｈ−Ｃ）}・・・（５）
但し、
Ｈ→前記移動体における前記上側領域での検出対象の高さ
Ｃ→前記第１の移動体検出手段の取り付け高さ
Ａ→前記上側領域における検出可能距離
θ→前記第１の移動体検出手段の取り付け位置における真上から傾斜角度である上向き光軸角度
Ｂ→前記下側領域における検出可能距離
λ→前記第１の移動体検出手段の取り付け位置における真下から傾斜角度である下向き光軸角度
である。
【００１２】
請求項４に記載の発明は、前記請求項１〜請求項３の何れか１項記載の電力供給制御装置を備え、前記処理装置本体が、原稿画像から画像を読み取る画像読取処理部、画像情報に基づいて記録用紙に画像を形成する画像形成処理部、予め相互に定められた通信手順の下で画像を送受信するファクシミリ通信処理部、の少なくとも１つの処理部を含み、
前記制御手段により、前記処理部が個別に電力供給状態並びに電力遮断状態に遷移するように制御され、処理部別に節電する部分節電手段を有する画像処理装置である。
【発明の効果】
【００１３】
請求項１記載の発明によれば、装置に接近して処理を指示する使用者を含む移動体を、主として温度変化に基づく誤検出を防止することができる。
【００１４】
また、本構成を有しない場合に比べて、部品点数を軽減することができる。
【００１５】
請求項２に記載の発明によれば、本構成を有しない場合に比べて、検出精度を向上することができる。
【００１６】
請求項３に記載の発明によれば、それぞれの向きの検出条件を統一することができる。
【００１７】
請求項４に記載の発明によれば、装置に接近して処理を指示する使用者を含む移動体を、主として温度変化に基づく誤検出を防止し、省エネ性と利便性とを両立することができる。
【図面の簡単な説明】
【００１８】
【図１】本実施の形態に係る画像処理装置の概略図である。
【図２】本実施の形態に係る画像処理装置の制御系の構成を示すブロック図である。
【図３】本実施の形態に係る画像処理装置及びその周辺示す平面図である。
【図４】本実施の形態に係る画像処理装置及びその周辺を示す斜視図である。
【図５】本実施の形態に係るピラー部前面に設けられたカバー部材の斜視図である。
【図６】本実施の形態に係る第１の人感センサのセンサ部の正面図であり、（Ａ）検出素子の正面図、（Ｂ）はレンズカバーの正面図である。
【図７】本実施の形態に係り、第１の人感センサの上側領域及び下側領域を示した画像処理装置及びその周辺示す側面図である。
【図８】本実施の形態に係り、第１の人感センサの上側領域を決定するために必要な寸法を表記した画像処理装置及びその周辺示す側面図である。
【図９】本実施の形態に係り、天井面にエアコンの吹き出し口が存在する場合を示した画像処理装置及びその周辺示す正面図である。
【図１０】（Ａ）は上側の貫通孔５４Ａの周縁にガイド部材６６を取り付けたカバー部材５２の斜視図、（Ｂ）は図１０（Ａ）のＸＢ−ＸＢ線断面図である。
【図１１】変形例に係り、第１の人感センサの上側領域を示した画像処理装置及びその周辺示す側面図である。
【発明を実施するための形態】
【００１９】
図１には、本実施の形態に係る画像処理装置１０が示されている。
【００２０】
画像処理装置１０は、記録用紙に画像を形成する画像形成部１２と、原稿画像を読み取る画像読取部１４と、ファクシミリ通信制御回路１６を備えている。画像処理装置１０は、メインコントローラ１８を備えており、画像形成部１２、画像読取部１４、ファクシミリ通信制御回路１６を制御して、例えば、画像読取部１４で読み取った原稿画像の画像データを一次的に記憶したり、読み取った画像データを画像形成部１２又はファクシミリ通信制御回路１６へ送出したりする。
【００２１】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００２２】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２３】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２４】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。
【００２５】
（画像処理装置の制御系ハード構成）
図２は、画像処理装置１０の制御系のハード構成の概略図である。
【００２６】
ネットワーク回線網２０は、前記画像処理装置１０のメインコントローラ１８に接続されている。なお、ネットワーク回路網２０には、画像データを送信元等になり得るＰＣ（端末装置）２９が接続されている。
【００２７】
メインコントローラ１８には、それぞれ、データバスやコントロールバス等のバス３３Ａ〜３３Ｄを介して、ファクシミリ通信制御回路１６、画像読取部１４、画像形成部１２、ＵＩタッチパネル４０が接続されている。すなわち、このメインコントローラ１８が主体となって、画像処理装置１０の各処理部が制御されるようになっている。なお、ＵＩタッチパネル４０には、ＵＩタッチパネル用バックライト部４０ＢＬが取り付けられている。
【００２８】
また、画像処理装置１０は、電源装置４２を備えており、メインコントローラ１８とは信号ハーネス４３で接続されている。
【００２９】
電源装置４２は、商用電源３１から入力電源線２４を介して電力の供給を受けている。
【００３０】
電源装置４２では、メインコントローラ１８、ファクシミリ通信制御回路１６、画像読取部１４、画像形成部１２、ＵＩタッチパネル４０のそれぞれに対して独立して電力を供給する電力供給線３５Ａ〜３５Ｄが設けられている。このため、メインコントローラ１８では、各処理部（デバイス）に対して個別に電力供給（電力供給モード）、或いは電力供給遮断（スリープモード）し、所謂部分節電制御を可能としている。
【００３１】
また、メインコントローラ１８には、２個の第１の人感センサ２８、第２の人感センサ３０が接続されており、画像処理装置１０の周囲の人の有無を監視している。
【００３２】
（人感センサの機能）
ところで、スリープモード時に使用者が画像処理装置１０の前に立ち、その後に例えば、節電制御ボタンを操作して、電力供給を再開した場合、画像処理装置１０が立ち上がるまでに時間を要する場合があった。
【００３３】
そこで、第１の人感センサ２８、第２の人感センサ３０を設置すると共に、スリープモードでは、使用者が節電解除ボタンを押す前に第１の人感センサ２８、第２の人感センサ３０で検知して早期に電力供給を再開して、使用者が早く使えるようにした。なお、節電制御ボタンと第１の人感センサ２８、第２の人感センサ３０とを併用しているが、第１の人感センサ２８、第２の人感センサ３０のみで全ての監視を行うことも可能である。
【００３４】
なお、第１の人感センサ２８、第２の人感センサ３０は、「人感」としているが、これは、本実施の形態に則した固有名詞であり、少なくとも人が感知（検出）できればよく、言い換えれば、人以外の移動体の感知（検出）も含むものである。従って、以下において、第１の人感センサ２８、第２の人感センサ３０の検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００３５】
「第１の人感センサ２８」
本実施の形態に係る第１の人感センサ２８の仕様は、画像処理装置１０の周囲（例えば、０ｍ〜５ｍの範囲）において、移動体の動きを検出するものである。この場合、焦電素子の焦電効果を用いた赤外線センサ等が代表的である（焦電型センサ）。本実施の形態では、第１の人感センサ２８として焦電型センサを適用している。例えば、検出範囲の温度変化量が、予めしきい値を超えた場合に、出力信号である二値信号が反転する。
【００３６】
この第１の人感センサ２８に適用された焦電素子の焦電効果を用いたセンサの最大の特徴は、検出領域が広いことである。また、移動体の動きを感知するため、検出領域内であって、人が静止していると、温度変化がないので人の存在を検出しない。例えば、人の移動時にハイレベル信号が出力されている場合、検出範囲内の人が静止すると、当該信号がローレベル信号になるものである。
【００３７】
なお、本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００３８】
但し、人が画像処理装置１０の前で、例えば画像形成や画像読取等の処理を待つ間、その場でストレッチ運動等を行うと、第１の人感センサ２８では、人の存在を検出する場合もある。
【００３９】
従って、当該「静止」を定義して第１の人感センサ２８による動き検出のためのしきい値を設定するのではなく、しきい値は比較的おおまか、かつ標準的に設定し、環境（温度、湿度等）に基づく、当該第１の人感センサ２８の検出状態に依存するようにしてもよい。すなわち、装置設置場所において、実験的に又は統計的に、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とするようなしきい値を設定すればよい。
【００４０】
「第２の人感センサ３０」
一方、本実施の形態に係る第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００４１】
この第２の人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００４２】
なお、第１の人感センサ２８、第２の人感センサ３０として、以下に示す機能をそれぞれ達成することが可能であれば、第１の人感センサ２８として焦電型センサや、第２の人感センサ３０として反射型センサに限定されるものではない。
【００４３】
ここで、本実施の形態では、第１の人感センサ２８と第２の人感センサ３０により、最大検出範囲（例えば、図３の第１の領域Ｆと第２の領域Ｎ）を設定した。
【００４４】
相対的に遠い検出領域である図３の第１の領域Ｆ（単に、「領域Ｆ」という場合がある）は、第１の人感センサ２８による検出領域であり、相対的に遠隔の移動体検出手段としての機能を有する。また、相対的に近い検出領域である図３の第２の領域Ｎ（単に、「領域Ｎ」という場合がある）は、第２の人感センサ３０による検出領域であり、相対的に近接の移動体検出手段としての機能を有する。
【００４５】
第１の人感センサ２８の検出領域（図３の第１の領域Ｆ参照）は、画像処理装置１０が設置されている場所の環境にもよるが、目安として臨界点（最も遠い位置）が０．８〜３ｍ程度が好ましい。一方、第２の人感センサ３０の検出領域（図３の第２の領域Ｎ)参照）は、画像処理装置１０のＵＩタッチパネル２１６やハードキーの操作が可能な範囲であり、目安として臨界点（最も遠い位置）が０．２〜１．０ｍ程度が好ましい。また、当然ではあるが、双方の設定後、第１の人感センサ２８の臨界点の方が、第２の人感センサ３０の臨界点よりも遠くなる。
【００４６】
（第１の人感センサ２８、第２の人感センサ３０及びその周辺の構成）
図４に示される如く、画像処理装置１０は、前述した画像読取装置１４と、画像形成装置１２等が筐体に覆われており、第１の人感センサ２８（第２の人感センサ３０を含む）は、当該筐体における、縦長矩形状のピラー部５０に取り付けられている。ピラー部５０は、主として前記画像読取装置１４を覆う上筐体と、主として前記画像形成装置１２を覆う下筐体とを連結する部分に柱状に設けられており、その内部は記録用紙搬送系等（図示省略）が組み付けられている。図５は、このピラー部５０の拡大図である。
【００４７】
図５に示される如く、ピラー部５０の前面は、前記ピラー部５０を意匠的な要素を持って被覆する縦長の矩形状のカバー部材５２が取り付けられている。
【００４８】
カバー部材５２の下部には、上下方向に区画された一対の貫通孔５４Ａ、５４Ｂが形成されている。貫通孔５４Ａ、５４Ｂの裏面側には、第１の人感センサ２８が取り付けられている。このため、貫通孔５４Ａ、５４Ｂは、それぞれ、前記第１の人感センサ２８により移動体を検出するための監視窓としての役目を有する。なお、、以下では、貫通孔５４Ａ、５４Ｂを総称する場合、監視窓５４という場合がある。貫通孔５４Ａと貫通孔５４Ｂはそれぞれ異なる検出領域となっている。詳細は後述するが、貫通孔５４Ａが主として移動体（使用者６０）の頭部を検出し、貫通孔５４Ｂが主として移動体（使用者６０）の足下を検出するようになっている。
【００４９】
また、カバー部材５２の上端部には、縦長のスリット孔５５が設けられており、当該スリット孔５５の裏面側には、第２の人感センサ３０が配置されている。第２の人感センサ３０は、検出部として受光部３０ＩＮと投光部３０ＯＵＴとを備えている。なお、図示は省略したが、スリット孔５５には、予め定めた透過率の合成樹脂製のカバーが取り付けられている。
【００５０】
（センサ電力供給制御）
本実施の形態では、第２の人感センサ３０は、常時、電力供給を受けていない。第２の人感センサ３０は、第１の人感センサ２８が管轄する図３の第１の領域Ｆに移動体（使用者）が進入した時点で電力が供給されて動作を開始し、その後、この第２の人感センサ３０が管轄する図３の第２の領域Ｎに移動体（使用者）が進入した時点でスリープモードからスタンバイモードへの立ち上げを指示する。
【００５１】
すなわち、検出領域の異なる２つの人感センサ（第１の人感センサ２８と第２の人感センサ３０）が互いに連携しあって、必要最小限の電力供給を受けるようになっている。
【００５２】
一方、第２の人感センサ３０の電力供給の遮断に関しては、前記第１の人感センサ２８の移動体検出状況に加え、タイマ機能が併用されるようになっている。
【００５３】
図３に示される如く、移動体（使用者）と画像処理装置１０との関係は、大きく分けて３形態あり、第１の形態は、人が画像処理装置１０に対して、使用目的で操作可能位置まで近づいてくる形態（図３のＡ線矢視の動向（Ａパターン）参照）、第２の形態は、人が処理装置を使用目的ではないが、操作可能位置まで近づいてくる形態（図３のＢ線矢視の動向（Ｂパターン）参照）、第３の形態は、人が処理装置の操作可能位置まで近づかないが、第１の形態、第２の形態に移行する可能性のある距離まできている形態（図３のＣ線矢視の動向（Ｃパターン）参照）である。
【００５４】
本実施の形態では、第１の人感センサ２８による検出情報、並びに第１の人感センサ２８による検出情報とタイマ機能の計時情報に基づいて、前記動向（図３に示すＡパターン〜Ｃパターンを基本とする人の移動形態）に即した第２の人感センサ３０の電力供給時期及び電力供給遮断時期を制御している。
【００５５】
（第１の人感センサ２８及びその周辺の構成）
図６（Ａ）は、本実施の形態に適用される第１の人感センサ２８（焦電センサ）の検出面側正面図であり、検出部２８Ａは複数の検出素子の集合体（本実施の形態では、１６個の検出素子３１４Ａ，３１４Ｂ，３１４Ｃ，３１４Ｄ，３１４Ｅ，３１４Ｆ，３１４Ｇ，３１４Ｈ，３１４Ｉ，３１４Ｊ，３１４Ｋ，３１４Ｌ，３１４Ｍ，３１４Ｎ，３１４Ｏ，３１４Ｐの集合体）である。以下、総称する場合、検出素子３１４という。
【００５６】
図５に示される如く、第１の人感センサ２８の検出面は、前記監視窓５４に対向しているため、上記検出素子３１４の一部の光軸が監視窓５４を通過することになる。
【００５７】
検出素子３１４は、それぞれ赤外線を検出可能であり、それぞれの検出素子３１４に入力される赤外線の変化量に相当する電気信号が合成（例えば、検出電圧の加算値）され、単一のセンサの電気信号として出力されるようになっている。
【００５８】
検出部２８Ａは、弾丸型（先端部が半球形状の筒体型）のレンズカバー３１６（図５参照）によって被覆されている。レンズカバー３１６の先端部の半球形状面は、検出素子３１４の数（ここでは、１６個）に応じて区画されたレンズ部３１８Ａ〜３１８Ｐ（図６（Ｂ）参照、以下、総称する場合「レンズ部３１８）が形成されている。このため、レンズ部３１８によって集光されたそれぞれの領域内が、それぞれ対応する検出素子３１４の検出領域となる。
【００５９】
それぞれの検出素子３１４の検出領域は、少なくとも互いに主たる領域（仕様上の検出領域）が同一の領域でとなっている。この検出領域は、幾何学的には、前記第１の人感センサ２８の検出面を頂点とする円錐状に拡散する空間領域である。
【００６０】
ここで、前記監視窓５４（図５参照）は、その高さ方向中央部が遮蔽部５４Ｃによって遮蔽されている。この遮蔽部５４Ｃによって監視窓５４は、上下方向に区画され、一対の貫通孔５４Ａ、５４Ｂが形成されている。
【００６１】
遮蔽部５４Ｃは、第１の人感センサ２８から水平方向に延長される検出領域を排除する役目を有している。言い換えれば、図７に示される如く、第１の人感センサ２８の検出領域（検出範囲）が、画像処理装置１０の設置された床面５６と、天井面５８とに向けられた、２つの互いに分離された下側領域５６Ａと、上側領域５８Ａとに設定されることになる。
【００６２】
ここで、下側領域５６Ａは、その検出範囲の到達位置が床面５６であり、画像処理装置１０に接近してくる移動体（使用者６０）の足元を対象としている。
【００６３】
第１の人感センサ２８は、検出範囲内の温度変化を検出するため、移動体（使用者６０）の体温の変化を確実に検出する必要がある。
【００６４】
そこで、本実施の形態では、第１の人感センサ２８の検出範囲として、下側領域５６Ａに加え、上側領域５８Ａを設定した。この上側領域５８Ａの最終到達点は、天井面５８であるが、当該天井面５８に至るまでの空間領域に、移動体（使用者６０）の一部（頭部）が進入することを想定したものである。
【００６５】
この上側領域５８Ａの設定条件は、下側領域５６Ａの設定条件が同条件とする。その手段として、下側領域５６Ａにおける最大検出距離（図８に示す下距離Ｂ）と、上側領域５８Ａにおける最大検出距離（図８に示す上距離Ａ）と同一とする（上距離Ａ＝下距離Ｂ）。なお、この上距離Ａ＝下距離Ｂは目標であり、必ずしも数学的に同一である必要はなく、結果として予め定めた許容範囲内であればよい。
【００６６】
このとき、下側領域５６Ａは、第１の人感センサ２８の設置高さ（図８に示す設置高さＣ）と、下側領域５６Ａの検出光軸の傾き（図８に示す垂直方向からの下向き光軸角度λ）によって、固定的に定まる。
【００６７】
一方、上側領域５８Ａは、使用者６０の身長（図８の使用者高さＨ）よって、上側領域５８Ａの検出光軸の傾き（図８に示す垂直方向からの上向き光軸角度θ）が変化する。そこで、設置場所において、使用者の身長（使用者高さＨ）を入力パラメータとして、上側領域５８Ａの検出光軸の傾き（上向き光軸角度θ）を決定するようにした。
【００６８】
すなわち、上記各部とその寸法を定義をまとめると、以下のようになる。
【００６９】
（定義１）使用者の身長を「使用者高さＨ」とする。
【００７０】
（定義２）画像処理装置１０に取り付けられた第１の人感センサ２８の取付位置の床面５６からの高さを「設置高さＣ」とする
（定義３）上側領域５８Ａにおける、画像処理装置１０からの最大検出距離を「上距離Ａ」とする。
【００７１】
（定義４）天井面５８に向けた垂線を０°としたときの、上側領域５８Ａの検出光軸の傾きの絶対値を「上向き光軸角度θ」とする。
【００７２】
（定義５）下側領域５６Ａにおける、画像処理装置１０からの最大検出距離を「下距離Ｂ」とする。
【００７３】
（定義６）床面５６に向けた垂線を０°としたときの、下側領域５６Ａの検出光軸の傾きの絶対値を「下向き光軸角度λ」とする。
【００７４】
このとき、ここで、設置高さＣ、下向き光軸角度λは固定値であり、この結果、（１）式の演算によって、下距離Ｂが決定する。
【００７５】
Ｂ＝Ｃ×tanλ・・・・・・・・・・・・・・（１）
一方、使用者高さＨの位置における距離Ａは、以下の（２）式で求められる。
【００７６】
Ａ＝（Ｈ−Ｃ）×tanθ・・・・・・・・・・（２）
このとき、前記条件として、距離Ａ＝距離Ｂを目標とするためには、以下の（３）式が成り立てばよい。
【００７７】
Ｃ×tanλ＝（Ｈ−Ｃ）×tanθ・・・・・・・（３）
この（３）式を変形すると、（４）式となる。
【００７８】
tanθ＝（Ｃ×tanλ）／（Ｈ−Ｃ）・・・・・（４）
上向き光軸角度θは、（５）式で求める。
【００７９】
θ＝tan−１{（Ｃ×tanλ）／（Ｈ−Ｃ）}・・・（５）
この（５）式で得られた上向き光軸角度θが決定されると、予め定めた下向き光軸角度λの範囲との相関関係に基づいて、最適な監視窓５４を設定する。
【００８０】
監視窓５４の設定とは、例えば、監視窓５４に設けた複数種類の形状の遮蔽板５４Ａ（例えば、高さ方向の寸法が異なる複数種類の遮蔽板５４Ａ）を準備しておき、平均身長、或いは出荷先から指定された平均身長（使用者高さＨ）に基づいて、以下の演算を実行し、上向き光軸角度θを求め、該当する遮蔽板５４Ａを適用すればよい。或いは、監視窓５４を形成する貫通孔５４Ａ、５４Ｂを自由に加工し易いように、カバー部材５２の他の部位よりも薄肉としておき、所望の形状、大きさに加工するようにしてもよい。さらには、カバー部材５２自体を交換するようにしてもよい。
【００８１】
以下、本実施の形態の作用を説明する。
【００８２】
（画像処理装置１０（デバイス）の電力供給制御のモード遷移の一例）
画像処理装置１０は、処理がなされていないと動作状態は、スリープモードとなる。
【００８３】
ここで、立ち上げ契機（第２の人感センサ３０による使用者検出等の立ち上げトリガの検出、或いは節電制御ボタン等の操作）があると、動作状態はウォームアップモードへ遷移する。
【００８４】
なお、この立ち上げトリガ契機後は、メインコントローラ１８及びＵＩタッチパネル４０ＢＬの起動によって、本来のスリープモード時の電力供給よりも電力供給量が増加するモードを設けてもよい。このモードは、依然としてスリープモードと定義してもよいし、他のモードとして定義してもよい。
【００８５】
また、立ち上げトリガ契機後、例えば、節電制御ボタンの操作によって復帰すると、ジョブを選択するモードまで復帰し、選択されたジョブによってどのデバイスが起動するかが決まり、画像形成部２４０が起動しない場合はウォームアップしない場合もある。
【００８６】
前記立ち上げのトリガとしては、第１の人感センサ２８と第２の人感センサ３０による連携による使用者検出、使用者の節電制御ボタンの操作による節電解除操作の他、例えば、ＩＣカードリーダの操作認証であってもよい。
【００８７】
前記ウォームアップモードは画像処理装置１０（主として、画像形成部２４０の定着部の温度）を迅速に処理可能状態にもっていくための暖気運転であり、各モードの内最大の電力消費量となるが、例えば、定着部におけるヒータとしてＩＨヒータを利用することによって、ハロゲンランプを用いたヒータよりもウォームアップモード時間は、比較的短い時間とされている。なお、ＩＨヒータとハロゲンランプの併用も可能である。なお、暖気運転は、最も電力を消費するモードである（例えば、１２００Ｗ）。
【００８８】
ウォームアップモードによる暖機運転が終了すると、画像処理装置１０はスタンバイモードに遷移する。
【００８９】
スタンバイモードは、文字通り「事に備えて準備が完了している」モードであり、画像処理装置１０においては、画像処理の動作が即実行できる状態となっている。
【００９０】
このため、キー入力としてジョブ実行操作があると、画像処理装置１０の動作状態は、ランニングモードに遷移し、指示されたジョブに基づく画像処理が実行されるようになっている。
【００９１】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、タイマ機能による計時を開始し、予め定めた時間経過した後に待機トリガを出力し、スタンバイモードへ遷移するようにしてもよい。
【００９２】
このスタンバイモード中にジョブ実行指示があれば、再度ランニングモードへ遷移し、立ち下げのトリガ検出、或いは予め定めた時間が経過したとき、スリープモードへ遷移するようになっている。なお、立ち下げのためのトリガは、例えば、第１の人感センサ２８と第２の人感センサ３０による検出結果に基づく信号やタイマ機能、並びにこれらの併用が可能である。
【００９３】
また、画像処理装置１０における実際の動作におけるモード状態の遷移が、全て単一のタイミングチャートのとおり時系列で進行するものではない。例えば、ウォームアップモード後のスタンバイモードで処理が中止され、スリープモードへ移行する場合もある。
【００９４】
このように、本実施の形態の画像処理装置１０は、モードの間を相互に遷移しており、各モード毎に消費される電力が異なっている。
【００９５】
また、本実施の形態では、各デバイス毎に電力供給制御が行われることで、例えば、スリープモードから画像読取処理が指示された場合には、画像形成部１２を起動することなく、画像読取部１４を通電するといった、所謂部分節電が可能である。
【００９６】
（スリープモード中における第１の人感センサ２８、第２の人感センサ３０での監視）
ここで、本実施の形態では、スリープモード中は、基本的には、第１の人感センサ２８のみが電力供給を受けて、移動体の接近状態を監視している。この監視する領域（検出領域）は、図３の領域Ｆに相当し、第１の人感センサ２８の検出部（複数の検出素子３１４）に入力される赤外線に基づく電気信号の解析（変化量）によって、移動体の有無を検出している。
【００９７】
この第１の人感センサ２８によって移動体を検出すると（図３の領域Ｆ内での移動体検出）、第２の人感センサ３０への電力供給を開始する。
【００９８】
第２の人感センサ３０は、図３の領域Ｎで示すように、第１の人感センサ２８の検出領域よりも画像処理装置１０に近く、かつ狭い領域であるため、確実に画像処理装置１０を使用する使用者であることを認識し、画像処理装置１０の一部（例えば、メインコントローラ１８とＵＩタッチパネル４０等）又は全部に電力を供給する。
【００９９】
このように、第１の人感センサ２８と第２の人感センサ３０とを併用し、段階的に検出形態をとることで、単に通りすがりの移動体と、画像処理装置１０を使用する意志のある使用者とを区別することが可能である。
【０１００】
また、本実施の形態では、図８に示される如く、第１の人感センサ２８の検出領域を、下側領域５６Ａと上側領域５８Ａとに区画した。
【０１０１】
本実施の形態では、第１の人感センサ２８の検出範囲として、下側領域５６Ａに加え、上側領域５８Ａを設定し、移動体（使用者であれば人）の足元に加え、頭部を検出対象とした。
【０１０２】
このとき、目標として、下向き距離Ｂ＝上向き距離Ａ（（１）式＝（２）式）となるように（すなわち、（３）式）、上向き光軸角度θを、以下の（５）式によって求め、その結果から、貫通孔５４Ａ、５４Ｂ（監視窓５４）に取り付ける遮蔽板５４Ｃを選択する。
【０１０３】
θ＝tan−１{（Ｃ×tanλ）／（Ｈ−Ｃ）}・・・（５）
なお、この（５）式は、前述した（３）式から（４）式の変形を経ることで得られる。
【０１０４】
このように、本実施の形態では、第１の人感センサ２８の検出範囲として、床面５６に向けられた下側領域５６Ａでの検出範囲と、天井面５８に向けられた上側領域５８Ａでの検出範囲とに区画し、下側領域５６Ａでの未検出時に、同時期に、上側領域５８Ａで確実に移動体の上部（人の頭部）を検出するため、第１の人感センサ２８による第２の人感センサ３０の立ち上げ時期を逸することが防止される。
【０１０５】
下側領域５６Ａと上側領域５８Ａとで同時期に使用者６０を検出するのは、図７に示される如く、下側領域５６Ａによって使用者６０の足下を検出するときの画像処理装置１０からの距離Ｂと、上側領域５８Ａによって使用者６０の頭部を検出するときの画像処理装置１０からの距離Ａとが同一（距離Ａ＝距離Ｂ）となることを前提とすることで、図８に示す第１の人感センサ２８の検出領域の設定が実現可能である。
【０１０６】
なお、本実施の形態では、第１の人感センサ２８の検出範囲を、下側領域５６Ａと上側領域５８Ａとに分割したが、上側領域５８Ａのみを検出範囲としてもよい。
【０１０７】
（天井面の障害物の回避）
本実施の形態では、第１の人感センサ２８の検出範囲として、天井面５８に向けた上側領域５８Ａを設定した。このとき、天井面に、エアーコンディショナー（以下、「エアコン」という）の吹き出し口があり、前記上側領域５８Ａの領域内に、このエアコンの吹き出し口が存在すると、当該吹き出した温調風の温度変化を感知する場合がある。
【０１０８】
そこで、図９に示される如く、エアコン６２の吹き出し口６２Ａを、上側領域５８Ａの領域外とする。
【０１０９】
ところで、例えば、画像処理装置１０の向きを変えることで、エアコン６２の吹き出し口６２Ａを、上側領域５８Ａの領域外にできる場合は問題ないが、例えば、画像処理装置１０の向きを変えることができない場合を考慮して、図１０に示される如く、上側の貫通孔５４Ａに、摺動遮蔽板６４を設けた。
【０１１０】
図１０に示される如く、カバー部材５２における上側の貫通孔５４Ａの周縁には、ガイド部材６６が取り付けられている。ガイド部材６６の上下端部は、それぞれガイド溝部６６Ａ、６６Ｂが設けられている。摺動遮蔽板６４は、一対のガイド溝部６６Ａ、６６Ｂに摺動可能に収容されている。
【０１１１】
ガイド部材６６の底面６６Ｃには、前記貫通孔５４Ａの縦横寸法よりも大きい長方形の貫通孔６６Ｄが設けられている。ガイド部材６６がカバー部材５２に取り付けられた状態（摺動遮蔽板６４が無い状態）では、貫通孔５４Ａの対角線の交点と上側貫通孔５４Ａの対角線の交点が一致しており、貫通孔６６Ｄ自体は、上側貫通孔５４Ａの開口状態を妨げない。言い換えれば、第１の人感センサ２８の上側領域５８Ａでの検出範囲は、前記貫通孔６６Ｄの開口面積と上側貫通孔５４Ａの開口面積の共通開口領域となる。
【０１１２】
ここで、前記摺動遮蔽板６４を一対のガイド溝部６４Ａ、６４Ｂに沿って摺動させることで、貫通孔６６Ｄの開口面積が変更されるため、必要に応じて、上側領域５８Ａが狭められ、前述したエアコン６２の吹き出し口６２Ａ（図９参照）を回避した上側領域５８Ａが設定可能である。
【０１１３】
なお、本実施の形態では、第１の人感センサ２８として、複数の検出素子３１４を備えた単一のセンサとして、当該検出素子３１４を下側領域５６Ａ用と、上側領域５８Ａ用として使い分けるようにしたが、下側領域５６Ａ用と、上側領域５８Ａ用とでそれぞれ別々のセンサを配置するようにしてもよい。
【０１１４】
（変形例）
本実施の形態では、図７に示される如く、第１の人感センサ２８の検出領域（検出範囲）が、画像処理装置１０の設置された床面５６と、天井面５８とに向けられた、２つの互いに分離された下側領域５６Ａと、上側領域５８Ａとに設定した。
【０１１５】
すなわち、本実施の形態では、下側領域５６Ａが主であり、上側領域５８Ａが副という位置付けである。言い換えれば、上側領域５８Ａの検出領域は、下側領域５６Ａと設定条件を同条件として設定し、下側領域５６Ａでの誤検出等（特に、未検出）を補償するために設けたものである。
【０１１６】
これに対して変形例では、図１１に示される如く、第１の人感センサ２８の検出領域（検出範囲）を上側領域５８Ａとしている。
【０１１７】
上側領域５８Ａの設定は、例えば、本実施の形態の下側領域５６Ａ（図７参照）を想定し、前記定義１〜定義６に基づいて、（５）式で得られた上向き光軸角度θを決定すればよい。
【符号の説明】
【０１１８】
Ｗ    壁面
１０    画像処理装置
１２    画像形成部
１４    画像読取部
１６    ファクシミリ通信制御回路
１８    メインコントローラ
２０    ネットワーク通信回線網
２２    電話回線網
２４    入力電源線
２６    コンセント
２８    第１の人感センサ
３０    第２の人感センサ
２９    ＰＣ
３０ＩＮ    受光部
３０ＯＵＴ    投光部
３１    商用電源
３２    配線プレート
３３Ａ〜３３Ｄ    バス
３５Ａ〜３５Ｄ    電力供給線
４０    ＵＩタッチパネル
４０ＢＬ    ＵＩタッチパネル用バックライト部
４２    電源装置
４３    信号ハーネス
５０    ピラー部
５２    カバー部材
５４Ａ、５４Ｂ    貫通孔
５４    監視窓
５５    スリット孔
５４Ｃ    遮蔽部
５６    床面
５６Ａ    下側領域
５８    天井面
５８Ａ    上側領域
６０    使用者
６２    エアコン
６２Ａ    吹き出し口
６４    摺動遮蔽板
６６    ガイド部材
６６Ａ、６６Ｂ    ガイド溝部
６６Ｃ    底面
６６Ｄ    貫通孔
３１４（３１４Ａ〜３１４Ｐ）    検出素子
３１６    レンズカバー
３１８（３１８Ａ〜３１８Ｐ）    レンズ部
Ｈ    使用者高さ
Ｃ    設置高さ
Ａ    上距離Ａ
θ    上向き光軸角度
Ｂ    下距離
λ    下向き光軸角度
【図１】
0006011035.tif 000002
【図２】
0006011035.tif 000003
【図３】
0006011035.tif 000004
【図４】
0006011035.tif 000005
【図５】
0006011035.tif 000006
【図６】
0006011035.tif 000007
【図７】
0006011035.tif 000008
【図８】
0006011035.tif 000009
【図９】
0006011035.tif 000010
【図１０】
0006011035.tif 000011
【図１１】
0006011035.tif 000012